(57)【要約】【課題】エレベータの作業員の各作業箇所での安全性を向上させる。【解決手段】保守作業員１４が所持するＲＦＩＤタグ１５がＲＦＩＤタグリーダ１７に接近すると、ＲＦＩＤタグリーダ１７はＲＦＩＤタグ１５に記憶される情報を得て、この情報をもとに保守作業員１４によるハシゴ昇降に関する報知、ピット内作業時の報知および機械室内作業時の報知が必要であるか否かを判断し、必要であると判断した作業時の報知を指示するための制御信号を伝送ケーブル２３を介して音声再生装置２１および表示装置２２に出力する。音声再生装置２１はＲＦＩＤタグリーダ１７からの制御信号で指示された種別の作業への注意を促すための音声を再生し、表示装置２２はＲＦＩＤタグリーダ１７からの制御信号で指示された種別の作業への注意を促す表示用メッセージを表示する。【選択図】      図１
2007062854.tif 000002
【特許請求の範囲】
【請求項１】
作業員が所持する記憶手段に記憶された作業時の注意を前記作業員へ促す報知の要否を示す情報を読み取る読み取り手段と、
この読み取り手段が読み取った情報が前記報知を要することを示す情報であった場合に当該報知を行なう報知手段と
を備えたことを特徴とするエレベータ。
【請求項２】
作業員が所持する作業員用記憶手段に記憶された当該作業員の個人情報を読み取る読み取り手段と、
前記個人情報に対応する作業員へ作業時の注意を促す報知の要否を示す識別情報と前記個人情報とを関連付けて記憶する識別情報記憶手段と、
この識別情報記憶手段に記憶される個人情報のうち前記読み取り手段が読み取った個人情報と関連付けられる識別情報が前記報知を要することを示す情報であった場合に当該報知を行なう報知手段と
を備えたこと特徴とするエレベータ。
【請求項３】
前記読み取り手段は、前記作業員による複数の作業箇所にそれぞれ設置され、
前記識別情報記憶手段は、前記個人情報に対応する作業員へ作業時の注意を促す報知の要否を示す識別情報と前記個人情報とを前記作業箇所ごとに関連付けて記憶し、
前記報知手段は、前記読み取り手段が読み取った個人情報と関連付けられて前記識別情報記憶手段に記憶される識別情報のうち前記個人情報を読み取った読み取り手段の設置箇所と対応する作業箇所での作業と関わる識別情報が前記報知を要することを示す情報であった場合に当該報知を行なう
ことを特徴とする請求項２に記載のエレベータ。
【請求項４】
前記報知のための音声情報を記憶する音声情報記憶手段をさらに備え、
前記報知手段は、前記音声情報記憶手段に記憶された音声情報を再生することで前記報知を行なうことを特徴とする請求項１または請求項２に記載のエレベータ。
【請求項５】
前記報知のための表示用情報を記憶する表示用情報記憶手段をさらに備え、
前記報知手段は、前記表示用情報記憶手段に記憶された情報を表示することで前記報知を行なうことを特徴とする請求項１または請求項２に記載のエレベータ。
【請求項６】
前記報知手段による報知と連動して乗りかごの昇降を制御する制御手段をさらに備えたことを特徴とする請求項１または請求項２に記載のエレベータ。
【請求項７】
作業員が所持する作業員用記憶手段に記憶された当該作業員が属する組織体の識別情報を読み取る読み取り手段と、
前記組織体の識別情報とこの情報に対応する組織体に属する作業員へ作業時の注意を促す報知の要否を示す識別情報とを関連付けて記憶する識別情報記憶手段と、
この識別情報記憶手段に記憶される識別情報のうち前記読み取り手段が読み取った情報と関連付けられる識別情報が前記報知を要することを示す情報であった場合に当該報知を行なう報知手段と
を備えたことを特徴とするエレベータ。
【発明の詳細な説明】
【技術分野】
【０００１】
本発明は、保守点検時に対応した処理を行なうエレベータに関する。
【背景技術】
【０００２】
従来、ＲＦＩＤ（Radio frequency identification）タグに記憶された情報をＲＦＩＤタグリーダが非接触で読み取る技術を利用して、例えば特許文献１に開示されたように乗りかごなどの移動物にＲＦＩＤタグを取り付けた上で保守作業員がＲＦＩＤタグリーダを所持して、移動物が保守作業員に接近した場合にＲＦＩＤタグリーダがＲＦＩＤタグに記憶された情報を読み取ることに伴って移動物の稼動を強制的に停止させたり警報を発したりするものがある。
【特許文献１】特開２００１−８０８３５号公報
【発明の開示】
【発明が解決しようとする課題】
【０００３】
このようにＲＦＩＤタグとＲＦＩＤタグリーダを利用してエレベータの移動物と保守作業員の接近を検知することで保守作業員の安全を図ることができる。しかしこれは移動物が保守作業員に近づくことでＲＦＩＤタグリーダが情報を読み取る構成であり、保守作業員がエレベータでの作業の開始前に事故防止のために保守作業員に注意を促すものではなかった。
【０００４】
また、エレベータでの作業においては作業員と移動物との接触の他に作業員による昇降路内でのハシゴの踏み外しや作業員に対する機械室での回転物の接触などが起こる可能性もある。しかし、保守作業員のうち例えばハシゴ昇降を踏み外す恐れのある者に対してハシゴ昇降に関する注意を促したり、巻き上げ機などの回転物の近傍での点検作業に不慣れな者に対して回転物への注意を促したりするなどの保守作業員個人に適した報知を行なうものはなかった。これらの理由により保守作業員がエレベータで点検作業を行なう際の安全性は十分とはいえなかった。
【０００５】
そこで、本発明の目的は、作業員の各作業箇所での安全性を向上させることが可能となるエレベータを提供することにある。
【課題を解決するための手段】
【０００６】
すなわち、本発明に係わるエレベータは、作業員が所持する記憶手段に記憶された作業時の注意をこの作業員へ促す報知の要否を示す情報を読み取り、この読み取った情報が報知を要することを示す情報であった場合に当該報知を行なうことを特徴とする。
【発明の効果】
【０００７】
本発明に係わるエレベータでは、作業員が所持する記憶手段に記憶された作業時の注意をこの作業員へ促す報知の要否を示す情報を読み取り、この読み取った情報が報知を要することを示す情報であった場合に当該報知を行なうので、作業員の各作業箇所での安全性を向上させることができる。
【発明を実施するための最良の形態】
【０００８】
以下図面により本発明の実施形態について説明する。  
（第１の実施形態）
まず、本発明の第１の実施形態について説明する。  
図１は、本発明の第１の実施形態にしたがったエレベータの構成例を示す図である。  
このエレベータでは昇降路１内に主制御装置２、乗りかご３、シーブ４、つり合いおもり５を備える。乗りかご３は図示しない巻き上げ機のモータ軸に設けられたシーブ４に巻き掛けられたメインロープ６を介してつり合いおもり５と連結される。乗りかご３は主制御装置２による制御にしたがった巻き上げ機の駆動によるシーブ４の回転に伴い、つり合いおもり５とともに互いに上下反対方向に昇降する。
【０００９】
また、昇降路１内のピット１１から最下階乗場１２に連なる壁面にはハシゴ１３が取り付けられる。
【００１０】
このエレベータの保守作業員１４は例えば靴にＲＦＩＤタグ１５を装着する。最下階乗場ドア１６の近傍にはＲＦＩＤタグリーダ１７が設置される。保守作業員１４はＲＦＩＤタグ１５を例えば上着のポケットなどに装着してもよい。
【００１１】
ＲＦＩＤタグリーダ１７はＲＦＩＤタグ１５が接近した場合に、このＲＦＩＤタグ１５に記憶された情報を読み取る機能を有する。昇降路１の壁面には音声再生装置２１および表示装置２２が取り付けられる。これらは伝送ケーブル２３を介してＲＦＩＤタグリーダ１７と接続される。また、ＲＦＩＤタグリーダ１７は伝送ケーブル２３を介して主制御装置２と接続される。
【００１２】
音声再生装置２１は保守作業員１４によるハシゴ昇降への注意を促すための音声データ、ピット内作業での注意を促すための音声データおよび機械室内作業での注意を促すための音声データをそれぞれ図示しない内部メモリに記憶する。表示装置２２は保守作業員１４によるハシゴ昇降への注意を促すための表示用データ、ピット内作業での注意を促すための表示用データおよび機械室内作業での注意を促すための表示用データを図示しない内部メモリに記憶する。
【００１３】
図２は、本発明の第１の実施形態にしたがったエレベータの保守作業員１４が装着するＲＦＩＤタグ１５の内部回路例を示す図である。  
図２に示すようにＲＦＩＤタグ１５はアンテナ３１、送受信インタフェース（Ｉ／Ｆ）３２、制御部３３およびメモリ３４を備える。
【００１４】
図３は、ＲＦＩＤタグ１５のメモリ３４に記憶された報知要否管理テーブルの一例を表形式で示す図である。この報知要否管理テーブルでは、メモリ３４の記憶エリアの識別番号と保守作業員１４に対する点検作業時の報知の要否を示す報知要否識別情報とを関連付けて管理する。
【００１５】
このテーブルにおけるエリア情報“０００１”と対応付けられる識別情報はハシゴ１３での昇降を行なう保守作業員１４への報知の要否を示す情報である。テーブル中のエリア情報“０００２”と対応付けられる識別情報はピット１１で作業を行なう保守作業員１４への報知の要否を示す情報である。テーブル中のエリア情報“０００３”と対応付けられる識別情報は主制御装置２およびシーブ４が設置される機械室１８で作業を行なう保守作業員１４への報知の要否を示す情報である。
【００１６】
エリア情報“０００１”と対応付けられる識別情報が“１”である場合には保守作業員１４に対しハシゴ１３の昇降についての注意を促す必要である事を示し、この識別情報が“０”である場合にはこの注意を促す必要がない事を示す。
【００１７】
エリア情報“０００２”と対応付けられる識別情報が“１”である場合には保守作業員１４に対しピット１１での作業についての注意を促す必要である事を示し、この識別情報が“０”である場合にはこの注意を促す必要がない事を示す。
【００１８】
エリア情報“０００３”と対応付けられる識別情報が“１”である場合には保守作業員１４に対し機械室１８での作業についての注意を促す必要である事を示し、この識別情報が“０”である場合にはこの注意を促す必要がない事を示す。
【００１９】
図４は、本発明の第１の実施形態にしたがったエレベータに設けられるＲＦＩＤタグリーダ１７の内部回路例を示す図である。  
図４に示すように、ＲＦＩＤタグリーダ１７はアンテナ４１、送受信インタフェース（Ｉ／Ｆ）４２、制御部４３、ＲＯＭ４４、ＲＡＭ４５および通信部４６を備える。通信部４６は伝送ケーブル２３を介して音声再生装置２１や表示装置２２と接続される。
【００２０】
ＲＯＭ４４はＲＦＩＤタグリーダ１７による各種処理に必要なシステムプログラムを記憶する。制御部４３はこのシステムプログラムを読み出して実行することでＲＦＩＤタグ１５との通信などの各処理を行なう。
【００２１】
次に、このような構成のエレベータにおける保守作業員１４に対する報知に先立ったＲＦＩＤタグ１５とＲＦＩＤタグリーダ１７間の通信処理について説明する。  
図５は、本発明の第１の実施形態にしたがったエレベータで用いられるＲＦＩＤタグとＲＦＩＤタグリーダとの通信処理の一例を示すフローチャートである。
【００２２】
まず、ＲＦＩＤタグリーダ１７の電源が投入される（ステップＳ１）と、ＲＦＩＤタグリーダ１７はＲＦＩＤタグ１５と通信するための電磁波をアンテナ４１から送信する（ステップＳ２）。
【００２３】
保守作業員１４が最下階乗場ドア１６に向かって移動することでＲＦＩＤタグ１５がＲＦＩＤタグリーダ１７に接近する（ステップＳ３のＹＥＳ）と、電磁誘導作用によりＲＦＩＤタグリーダ１７のアンテナ４１からＲＦＩＤタグ１５のアンテナ３１を介してＲＦＩＤタグ１５内の図示しない電源回路に電源電圧が供給される（ステップＳ４）。この電源回路はこの電源電圧の整流および変圧を行なってこれを各デバイスに供給する。
【００２４】
すると、ＲＦＩＤタグ１５のアンテナ３１はＲＦＩＤタグリーダ１７のアンテナ４１から発せられた電磁波を受信する。ＲＦＩＤタグ１５の送受信インタフェース３２はアンテナ３１が受信した電磁波を復調して得た信号を制御部３３に出力する。
【００２５】
制御部３３は、送受信インタフェース３２からの信号を入力するとメモリ３４に記憶された報知要否管理テーブルで示される情報を読み出して、これを送受信インタフェース３２に出力する（ステップＳ５）。送受信インタフェース３２は制御部３３から入力した情報を変調し、これをアンテナ３１を介してＲＦＩＤタグリーダ１７に電磁波として送信する。
【００２６】
この送信された電磁波をＲＦＩＤタグリーダ１７のアンテナ４１が受信すると、送受信インタフェース４２はこれを復調して制御部４３に出力する（ステップＳ６）。
【００２７】
図６は、本発明の第１の実施形態にしたがったエレベータで用いられるＲＦＩＤタグリーダおよび各種報知装置の処理の一例を示すフローチャートである。
【００２８】
ＲＦＩＤタグリーダ１７の制御部４３は送受信インタフェース４２から入力した情報のうちエリア情報“０００１”と関連付けられる識別情報が“１”である場合（ステップＳ１１のＹＥＳ）、ハシゴ昇降に関する報知を指示するための制御信号を通信部４６から伝送ケーブル２３を介して音声再生装置２１や表示装置２２に出力する。
【００２９】
音声再生装置２１は制御部４３からの制御信号を入力するとハシゴ昇降時の注意を促すための音声データを内部メモリから読み出してこれを再生する。この場合の音声は例えば「ハシゴの昇降に注意して下さい」である。また、表示装置２２は制御部４３からの制御信号を入力するとハシゴ昇降時の注意を促すための表示用データを内部メモリから読み出してこれを表示する（ステップＳ１２）。この場合の表示例は「足元注意」である。
【００３０】
ＲＦＩＤタグリーダ１７の制御部４３は送受信インタフェース４２から入力した情報のうちエリア情報“０００１”と関連付けられる識別情報が“０”である場合（ステップＳ１１のＮＯ）またはハシゴ昇降に関する報知の指示のための制御信号を出力した場合には、送受信インタフェース４２から入力した情報のうちエリア情報“０００２”と関連付けられる識別情報が“１”であるか否かを判別する（ステップＳ１３）。
【００３１】
この判別の結果、識別情報が“１”である場合（ステップＳ１３のＹＥＳ）には、制御部４３はピット内作業時の報知を指示するための制御信号を通信部４６から伝送ケーブル２３を介して音声再生装置２１や表示装置２２に出力する。
【００３２】
音声再生装置２１は制御部４３からの制御信号を入力するとピット内作業時の注意を促すための音声データを内部メモリから読み出してこれを再生する。この場合の音声は例えば「つり合いおもりやかごに注意して下さい」である。また、表示装置２２は制御信号を入力するとピット内作業時の注意を促すための表示用データを内部メモリから読み出してこれを表示する（ステップＳ１４）。この場合の表示例は「上方注意」である。
【００３３】
ＲＦＩＤタグリーダ１７の制御部４３は送受信インタフェース４２から入力した情報のうちエリア情報“０００２”と関連付けられる識別情報が“０”である場合（ステップＳ１３のＮＯ）またはピット内作業に関する報知の指示のための制御信号を出力した場合には、送受信インタフェース４２から入力した情報のうちエリア情報“０００３”と関連付けられる識別情報が“１”であるか否かを判別する（ステップＳ１５）。
【００３４】
この判別の結果、識別情報が“１”である場合（ステップＳ１５のＹＥＳ）には制御部４３は、機械室内作業時の報知を指示するための制御信号を通信部４６から伝送ケーブル２３を介して音声再生装置２１や表示装置２２に出力する。
【００３５】
音声再生装置２１は制御信号を入力すると機械室内作業時の注意を促すための音声データを内部メモリから読み出してこれを再生する。この場合の音声は例えば「回転物に注意して下さい」である。また、表示装置２２は制御信号を入力すると機械室内作業時の注意を促すための表示用データを内部メモリから読み出してこれを表示する（ステップＳ１６）。この場合の表示例は「回転物注意」である。
【００３６】
そしてＲＦＩＤタグリーダ１７の制御部４３は前述したように音声再生装置２１や表示装置２２に向けた制御信号を出力した場合には、乗りかご３の昇降停止を指示するための制御信号を通信部４６から伝送ケーブル２３を介して主制御装置２に出力する。主制御装置２はＲＦＩＤタグリーダ１７からの制御信号を入力すると、乗りかご３が昇降中である場合にこれが停止するよう巻き上げ機の駆動を制御する。これにより保守作業員１４の安全性をより向上させることができる。
【００３７】
また、ＲＦＩＤタグリーダ１７の制御部４３は前述したように音声再生装置２１や表示装置２２に向けた制御信号を出力した場合には、乗りかご３の昇降停止を指示するための制御信号に代えて乗りかご３の昇降速度の制限を指示するための制御信号を通信部４６から伝送ケーブル２３を介して主制御装置２に出力してもよい。この制御信号を主制御装置２が入力すると、乗りかご３が昇降中である場合、この昇降速度が予め定められた速度を超えないように巻き上げ機の駆動を制御する。
【００３８】
以上説明したように、本発明の第１の実施形態にしたがったエレベータでは昇降路１内で各種作業を行なう保守作業員１４に予め作業時の注意を促すことができるので、保守作業員１４による作業中における安全性を向上させることができる。
【００３９】
また、ＲＦＩＤタグ１５のメモリ３４に記憶された報知の要否に関する識別情報は図示しないＲＦＩＤタグライタを用いて書き換えることができる。つまり、保守作業員１４の作業にかかる熟練度合が上昇し、例えばハシゴ昇降における踏み外しの危険性が著しく減少した場合にはＲＦＩＤタグ１５のメモリ３４に記憶された報知要否管理テーブルのエリア情報“０００１”と関連付けられた識別情報を“１”から“０”に書き換える。すると以後はこの保守作業員１４に対するハシゴ昇降時の報知はなされなくなる。
【００４０】
以上説明した実施形態ではＲＦＩＤタグリーダ１７は伝送ケーブル２３を介して音声再生装置２１や表示装置２２と接続する構成としたが、これに代えて音声再生装置２１や表示装置２２をＲＦＩＤタグリーダ１７に内蔵する構成としてもよい。
【００４１】
（第２の実施形態）
次に、本発明の第２の実施形態について説明する。なお、本実施形態に係るエレベータの構成は図１に示したものと基本的にほぼ同様であるので同一部分の説明は省略する。図７は、本発明の第２の実施形態にしたがったエレベータの構成例を示す図である。  
このエレベータは本発明の第１の実施形態にしたがったエレベータと比較してＲＦＩＤタグリーダ１９，２０をさらに備える。これらは伝送ケーブル２３を介して音声再生装置２１、表示装置２２および主制御装置２と接続される。
【００４２】
ＲＦＩＤタグリーダ１９は保守作業員１４がハシゴ１３から降りた先のピット１１の床面に設置される。ＲＦＩＤタグリーダ２０は機械室１８に設置される。
【００４３】
ＲＦＩＤタグリーダ１９，２０はＲＦＩＤタグ１５が接近した場合に、これに記憶された情報を読み取る機能を有する。ＲＦＩＤタグ１５がＲＦＩＤタグリーダ１７，１９，２０のそれぞれとの間で通信できる範囲はＲＦＩＤタグリーダ１７，１９，２０の間で重なり合わないものとする。
【００４４】
ＲＦＩＤタグ１５とＲＦＩＤタグリーダ１９間の通信処理およびＲＦＩＤタグ１５とＲＦＩＤタグリーダ２０間の通信処理はＲＦＩＤタグ１５とＲＦＩＤタグリーダ１７間の通信処理と同様である。
【００４５】
本発明の第１の実施形態にしたがったエレベータのＲＦＩＤタグリーダ１７はＲＦＩＤタグ１５の接近に伴って各所での作業時の報知の要否を順次判別したが、本発明の第２の実施形態にしたがったエレベータの各所のＲＦＩＤタグリーダ１７，１９，２０はその設置箇所と対応した作業のみに関する報知の要否をそれぞれ判別する。
【００４６】
具体的にはＲＦＩＤタグリーダ１７がＲＦＩＤタグ１５から情報を得た場合には、ＲＦＩＤタグリーダ１７の制御部４３は送受信インタフェース４２から入力した情報のうちエリア情報“０００１”と関連付けられる識別情報が“１”であるか否かを判別する。この判別の結果、識別情報が“１”である場合には制御部４３はハシゴ昇降に関する報知を指示するための制御信号を通信部４６から伝送ケーブル２３を介して音声再生装置２１や表示装置２２に出力する。
【００４７】
音声再生装置２１はＲＦＩＤタグリーダ１７からの制御信号を入力するとハシゴ昇降時の注意を促すための音声データを内部メモリから読み出してこれを再生する。また、表示装置２２はＲＦＩＤタグリーダ１７からの制御信号を入力するとハシゴ昇降時の注意を促すためのメッセージデータを内部メモリから読み出してこれを表示する。
【００４８】
また、ＲＦＩＤタグリーダ１９がＲＦＩＤタグ１５から情報を得た場合には、ＲＦＩＤタグリーダ１９の制御部４３は送受信インタフェース４２から入力した情報のうちエリア情報“０００２”と関連付けられる識別情報が“１”であるか否かを判別する。この判別の結果、識別情報が“１”である場合には制御部４３はピット内作業時の報知を指示するための制御信号を通信部４６から伝送ケーブル２３を介して音声再生装置２１や表示装置２２に出力する。
【００４９】
音声再生装置２１はＲＦＩＤタグリーダ１９からの制御信号を入力するとピット内作業時の注意を促すための音声データを内部メモリから読み出してこれを再生する。また、表示装置２２はＲＦＩＤタグリーダ１９からの制御信号を入力するとピット内作業時の注意を促すためのメッセージデータを内部メモリから読み出してこれを表示する。
【００５０】
また、ＲＦＩＤタグリーダ２０がＲＦＩＤタグ１５から情報を得た場合には、ＲＦＩＤタグリーダ２０の制御部４３は送受信インタフェース４２から入力した情報のうちエリア情報“０００３”と関連付けられる識別情報が“１”であるか否かを判別する。この判別の結果、識別情報が“１”である場合には制御部４３は機械室内作業時の報知を指示するための制御信号を通信部４６から伝送ケーブル２３を介して音声再生装置２１や表示装置２２に出力する。
【００５１】
音声再生装置２１はＲＦＩＤタグリーダ２０からの制御信号を入力すると機械室内作業時の注意を促すための音声データを読み出してこれを再生する。また、表示装置２２はＲＦＩＤタグリーダ２０からの制御信号を入力すると機械室内作業時の注意を促すためのメッセージデータを読み出してこれを表示する。
【００５２】
そしてＲＦＩＤタグリーダ１７，１９，２０の制御部４３は前述したように音声再生装置２１や表示装置２２への制御信号を出力した場合には、乗りかご３の昇降停止を指示するための制御信号を通信部４６から伝送ケーブル２３を介して主制御装置２に出力する。主制御装置２はＲＦＩＤタグリーダ１７，１９，２０のいずれかからの制御信号を入力すると、乗りかご３が昇降中である場合にこれが停止するよう巻き上げ機の駆動を制御する。これにより保守作業員１４の安全性をより向上させることができる。
【００５３】
以上説明したように、本発明の第２の実施形態にしたがったエレベータでは、ＲＦＩＤタグリーダを複数の箇所に設け、それぞれがＲＦＩＤタグ１５の接近にともなって設置箇所での作業時の報知の要否を判別するので、保守作業員１４に対する注意をより的確に促すことができる。
【００５４】
次に本発明の第２の実施形態にしたがったエレベータの第１の変形例について説明する。前述した構成では、ＲＦＩＤタグ１５には所持者である保守作業員１４による各所での作業時の報知要否識別情報を記憶したが、この変形例ではＲＦＩＤタグ１５には報知要否管理テーブルを記憶せずに保守作業員１４の氏名を記憶する。
【００５５】
また、ＲＦＩＤタグリーダ１７はＲＯＭ４４に図８に示したような報知要否管理テーブルを記憶する。このテーブルでは各保守作業員の氏名とこの氏名で特定される保守作業員のハシゴ昇降に関する報知の要否を示す報知要否識別情報とが関連付けられて管理される。
【００５６】
ＲＦＩＤタグリーダ１９はＲＯＭ４４に図９に示したような報知要否管理テーブルを記憶する。このテーブルでは各保守作業員の氏名とこの氏名で特定される保守作業員のピット内作業時の報知の要否を示す報知要否識別情報とが関連付けられて管理される。
【００５７】
ＲＦＩＤタグリーダ２０はＲＯＭ４４に図１０に示したような報知要否管理テーブルを記憶する。このテーブルでは各保守作業員の氏名とこの氏名で特定される保守作業員の機械室内作業時の報知の要否を示す報知要否識別情報とが関連付けられて管理される。
【００５８】
ＲＦＩＤタグリーダ１７がＲＦＩＤタグ１５から氏名の情報を受信すると、ＲＦＩＤタグリーダ１７の制御部４３はこの氏名の情報とＲＯＭ４４に記憶される報知要否管理テーブルとを照合し、ＲＦＩＤタグ１５から氏名の情報に対して報知要否管理テーブル上で関連付けられる報知要否識別情報が“１”であるか“０”であるかを判別する。この判別の結果、識別情報が“１”である場合には、制御部４３はハシゴ昇降に関する報知を指示するための制御信号を通信部４６から伝送ケーブル２３を介して音声再生装置２１や表示装置２２に出力する。
【００５９】
ＲＦＩＤタグリーダ１９がＲＦＩＤタグ１５から氏名の情報を受信すると、ＲＦＩＤタグリーダ１９の制御部４３はこの氏名の情報とＲＯＭ４４に記憶される報知要否管理テーブルとを照合し、ＲＦＩＤタグ１５から氏名の情報に対して報知要否管理テーブル上で関連付けられる報知要否識別情報が“１”であるか“０”であるかを判別する。この判別の結果、識別情報が“１”である場合には、制御部４３はピット内作業時の報知を指示するための制御信号を通信部４６から伝送ケーブル２３を介して音声再生装置２１や表示装置２２に出力する。
【００６０】
ＲＦＩＤタグリーダ２０がＲＦＩＤタグ１５から氏名の情報を受信すると、ＲＦＩＤタグリーダ２０の制御部４３はこの氏名の情報とＲＯＭ４４に記憶される報知要否管理テーブルとを照合し、ＲＦＩＤタグ１５からの氏名の情報に対して報知要否管理テーブル上で関連付けられる報知要否識別情報が“１”であるか“０”であるかを判別する。この判別の結果、識別情報が“１”である場合には、制御部４３は機械室内作業時の報知を指示するための制御信号を通信部４６から伝送ケーブル２３を介して音声再生装置２１や表示装置２２に出力する。
【００６１】
以上説明したようにこの変形例ではＲＦＩＤタグ１５には所持者である保守作業員１４の氏名の情報を記憶するだけでこの保守作業員１４の作業時の報知の要否を判別できるので、ＲＦＩＤタグ１５のメモリ容量を小さくすることができる。よって保守作業員１４の数が多い場合のコストの削減が可能となる。
【００６２】
次に本発明の第２の実施形態にしたがったエレベータの第２の変形例について説明する。保守作業員１４による各種作業による事故の危険性の大小は作業員個人の熟練度合に限らず、この作業員が属する組織体制の良し悪しにも左右される。そこで、この変形例では、ＲＦＩＤタグ１５には所持者である保守作業員１４の氏名の代わりに当該保守作業員１４が属する組織名を記憶する。
【００６３】
この第２の変形例では、ＲＦＩＤタグリーダ１７はＲＯＭ４４に図１１に示したような報知要否管理テーブルを記憶する。このテーブルでは各保守作業員の所属組織名とこの組織名に属する保守作業員のハシゴ昇降に関する報知の要否を示す報知要否識別情報とが関連付けられて管理される。
【００６４】
また、ＲＦＩＤタグリーダ１９はＲＯＭ４４に図１２に示したような報知要否管理テーブルを記憶する。このテーブルでは各保守作業員の所属組織名とこの組織名に属する保守作業員の保守作業員のピット内作業時の報知の要否を示す報知要否識別情報とが関連付けられて管理される。
【００６５】
また、ＲＦＩＤタグリーダ２０はＲＯＭ４４に図１３に示したような報知要否管理テーブルを記憶する。このテーブルでは各保守作業員の所属組織名とこの組織名に属する保守作業員の保守作業員の機械室内作業時の報知の要否を示す報知要否識別情報とが関連付けられて管理される。
【００６６】
ＲＦＩＤタグリーダ１７，１９，２０がＲＦＩＤタグ１５から氏名の情報を受信した場合の処理動作は、第１の変形例とほぼ同様である。この場合には、第１の変形例におけるＲＦＩＤタグリーダ１７，１９，２０がＲＦＩＤタグ１５からの情報を受信した場合の処理の説明における氏名を所属組織名と読み替えればよい。
【００６７】
以上説明したように、この変形例ではＲＦＩＤタグ１５には所持者である保守作業員１４の所属組織名を記憶するだけでこの保守作業員１４の作業時の報知の要否を判別できるので、各個人の作業の熟練度合の高低に関わらず、体制に問題のある組織に属する保守作業員１４による作業時の報知を行なうことができる。
【００６８】
なお、この発明は前記実施形態そのままに限定されるものではなく実施段階ではその要旨を逸脱しない範囲で構成要素を変形して具体化できる。また、前記実施形態に開示されている複数の構成要素の適宜な組み合せにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【００６９】
【図１】本発明の第１の実施形態にしたがったエレベータの構成例を示す図。
【図２】本発明の第１の実施形態にしたがったエレベータの保守作業員が装着するＲＦＩＤタグの内部回路例を示す図。
【図３】本発明の第１の実施形態にしたがったエレベータで用いられるＲＦＩＤタグに記憶される報知要否管理テーブルの一例を表形式で示す図。
【図４】本発明の第１の実施形態にしたがったエレベータに設けられるＲＦＩＤタグリーダの内部回路例を示す図。
【図５】本発明の第１の実施形態にしたがったエレベータで用いられるＲＦＩＤタグとＲＦＩＤタグリーダとの通信処理の一例を示すフローチャート。
【図６】本発明の第１の実施形態にしたがったエレベータで用いられるＲＦＩＤタグリーダおよび各種報知装置の処理動作の一例を示すフローチャート。
【図７】本発明の第２の実施形態にしたがったエレベータの構成例を示す図。
【図８】本発明の第２の実施形態にしたがったエレベータの第１の変形例で用いられる最下階乗場のＲＦＩＤタグリーダに記憶される報知要否管理テーブルの一例を表形式で示す図。
【図９】本発明の第２の実施形態にしたがったエレベータの第１の変形例で用いられるピット下部のＲＦＩＤタグリーダに記憶される報知要否管理テーブルの一例を表形式で示す図。
【図１０】本発明の第２の実施形態にしたがったエレベータの第１の変形例で用いられる機械室のＲＦＩＤタグリーダに記憶される報知要否管理テーブルの一例を表形式で示す図。
【図１１】本発明の第２の実施形態にしたがったエレベータの第２の変形例で用いられる最下階乗場のＲＦＩＤタグリーダに記憶される報知要否管理テーブルの一例を表形式で示す図。
【図１２】本発明の第２の実施形態にしたがったエレベータの第２の変形例で用いられるピット下部のＲＦＩＤタグリーダに記憶される報知要否管理テーブルの一例を表形式で示す図。
【図１３】本発明の第２の実施形態にしたがったエレベータの第２の変形例で用いられる機械室のＲＦＩＤタグリーダに記憶される報知要否管理テーブルの一例を表形式で示す図。
【符号の説明】
【００７０】
１…昇降路、２…主制御装置、３…乗りかご、４…シーブ、５…つり合いおもり、６…メインロープ、１１…ピット、１２…最下階乗場、１３…ハシゴ、１４…保守作業員、１５…ＲＦＩＤタグ、１６…最下階乗場ドア、１７，１９，２０…ＲＦＩＤタグリーダ、１８…機械室、２１…音声再生装置、２２…表示装置、２３…伝送ケーブル、３１，４１…アンテナ、３２，４２…送受信インタフェース（Ｉ／Ｆ）、３３，４３…制御部、３４…メモリ、４４…ＲＯＭ、４５…ＲＡＭ、４６…通信部。
【図１】
2007062854.tif 000003
【図２】
2007062854.tif 000004
【図３】
2007062854.tif 000005
【図４】
2007062854.tif 000006
【図５】
2007062854.tif 000007
【図６】
2007062854.tif 000008
【図７】
2007062854.tif 000009
【図８】
2007062854.tif 000010
【図９】
2007062854.tif 000011
【図１０】
2007062854.tif 000012
【図１１】
2007062854.tif 000013
【図１２】
2007062854.tif 000014
【図１３】
2007062854.tif 000015